Podtech/llm-jp-corpus-v4-ja_patent huggingface dataset:
(57)【要約】【課題】冬期間に公園等の桜の花芽を、うそ鳥の食害から守るため、人の手で紐を引くことで、うそ鳥を遠くへ追い払い、近くに寄せ付けないようにする。うそ鳥追い払い具を提供する。【解決手段】補助具８を備え付けた黒いドラム缶１を竹竿等に吊し、桜の木の梢より高い位置、図６に設置して、遠くからもよく見えるようにし、ロープ３の長さの調節でドラム缶の動きを大きくできるようにして、黒い色の物体や黒い布等が近くにあることを嫌い、金属のぶつかり合う金属製の音を嫌う習性を持つ、うそ鳥を遠くへ追い払い、近くに寄せ付けなくする。【選択図】図７
2009005672.tif 000002
【特許請求の範囲】
【請求項１】
ドラム缶であること。
【請求項２】
吊りロープの長さで上下左右の動きが調節出来ること。
【請求項３】
ドラム缶の色が黒いこと。
【請求項４】
鳥の羽に似せた黒い色の補助具等を取り付けること。
【請求項５】
よく撓る竹竿等を利用すること。
【発明の詳細な説明】
【技術分野】
【０００１】本発明は、冬期間公園等の、うそ鳥による桜の花芽食害防止方法に関するものである。
【背景技術】
【０００２】従来、うそ鳥による桜の花芽食害を防ぐ道具はなかった【０００３】
【特許文献１】特許番号  第２７９３１３６号
【非特許文献１】白芳建設株式会社鳥害防除システム
【非特許文献２】インターネット検索、  楽しいネットショッピング２００７年「鳩よけネット２ｍ×４ｍグリーン」シンワ株式会社。ＡＱｕＡ
【発明の開示】
【発明が解決しようとする課題】
【０００３】約７ヘクタールの公園であれば、２００〜３００本もの桜（ソメイヨシノ）があるものだが、毎年、１２月中旬から３月末過ぎまで、１０羽から１００羽程度の、うそ鳥に桜の花芽を食害される、その被害は、７０％以上にもなる。開花を期待し企画した桜祭りでは花見客の出足も鈍り経済的な打撃も大きい、本発明は、この課題を解消するためになされた。うそ鳥追い払い具である。
【課題を解決するための手段】
【０００４】補助具８を取り付けた黒いドラム缶１を桜の木の先端に竹竿等に吊し、人の手で紐を激しく引き揺さぶることで、鳥を木に寄せ付けないようにした。本発明は、人が容易に行けない木の上に、あらかじめ本発明を設置し、いる鳥を離れたところから紐を引くことで黒いドラム缶１を上下左右に飛び跳ねるように激しく動かし鳥を威嚇する。さらに、この動でドラム缶１の中に設置した２枚の鉄板２で大きな音を出し、うそ鳥を追い払うものである。また、これを繰り返し操作することにより本発明を設置した地域には、鳥が寄りつかなくなる。
【発明の効果】
【０００５】この黒いドラム缶１を竹竿９等に吊し下げるための、ロープ３の長さを調節することで上下左右の動きの幅１０が大きく出来るようになった。また、ドラム缶１の外側を黒く塗り、黒い細長い布４を黒いドラム缶の胴体に装着することで防鳥効果を増した。（この黒い色の効果は、小鳥を飼育中に黒い布等を近づけたりすると怯えることから、防鳥効果があることが分かり採用した）また、ドラム缶１の中に２枚の鉄板２を設置し、引き紐を引き、激しい動きを加えることで、２枚の鉄板がぶつかり合い鳥がいやがる金属製の音を出すことができる。以下、本発明の実施の形態を図１から図７に基づいて説明する。
（イ）図１のように厚さ１ｍｍ以内の鉄板で、直径３０ｃｍ程度、長さ３４ｃｍ程度、重量２ｋｇ程度、上に蓋をして、下には蓋をしない、ドラム缶を作成する。図３のようにドラム缶の中に長さ２０ｃｍ、幅５センチ厚さ４ｍｍの鉄板２を自在に動くように、図３の蓋１１から２枚吊すように設置する。
（ロ）ドラム缶１の外回りを黒色のラッカー等で、全部黒く塗る、
（ハ）図４の補助具を次のように作成し本体に装着する。幅５ｃｍ長さ３０ｃｍの黒い細長い布４を太さ４ｍｍの紐１２に、図４の縫い目１３のように縫い付ける。この、補助具８を、ドラム缶の胴回りに缶の蓋１１から、  １０ｃｍ下の部分に一回り巻くように取り付ける。天敵である鳥の羽のように見え防鳥効果が増す。以上がうそ鳥追い払い具の本体である。
（ハ）図３に示す吊し金具５に、激しく揺すったとき木の枝やドラム缶に当たりこすれて切れないように、太さ８ミリ程度の丈夫な、吊し下げるためのロープ３と、引くためのロープ６を取り付ける。吊し下げるためのロープ３の長さは、長いほど上下左右の動きの幅１０が大きくなり効果が増ので、竹竿などの長さに合わせて決める。引くためのロープ６の長さは引き紐７がドラム缶１に当たったり木の枝にこすれたりしない所までにする。あまり長くするとロープの重みで、ドラム缶１の動きが悪くなる。
（ニ）長さ１０ｍ程度の丈夫で撓る竹竿等の先端部に、吊し側のロープ３の端を結び、これを桜の木先端に竹竿９等で、ドラム缶が遠くから見えるように、ロープ等でしっかり固定する。
（ホ）引く側のロープの端に太さ３ミリ〜４ミリの、できるだけ伸びの少ない丈夫な紐で、長さ５０メートル〜１００メートル程度の引き紐も７を結ぶ。以上が、うそ鳥追い払い具の全容である。
【実施例１】
【０００６】
【図面の簡単な説明】
【０００７】
【図１】本発明の正面図である。
【図２】本発明の使用状態を示す断面図である。
【符号の説明】
【０００８】１  黒いドラム缶
２  ２枚の鉄板
３  吊し下げるための、ロープ
４  黒い細長い布
５  吊し金具
６  引くためのロープ
７  引き紐
８  補助具
９  竹竿
１０  動きの幅
１１  蓋
１２  ４ｍｍの紐
１３  縫い目
【図１】
2009005672.tif 000003
【図２】
2009005672.tif 000004
【図３】
2009005672.tif 000005
【図４】
2009005672.tif 000006
【図５】
2009005672.tif 000007
【図６】
2009005672.tif 000008
【図７】
2009005672.tif 000009
【手続補正書】
【提出日】平成19年10月8日(2007.10.8)
【手続補正２】
【補正対象書類名】明細書
【補正対象項目名】０００７
【補正方法】変更
【補正の内容】
【０００７】
【図１】本体の正面図である。
【図２】本体を上から見た図である。
【図３】本体の断面図であり、二枚の鉄板を取り付けた状態を示す図である。
【図４】本体に装着する補助具の全体図である。
【図５】本体に補助具を装着した状態の正面図である。
【図６】本発明を桜の木等樹木に設置し人物が、引き紐７を引き使用している時の全体図である。
【図７】本発明の全体図である。
(57)【要約】      （修正有）【課題】産業廃棄物として廃棄されているオカラを利用してリラクゼーション効果を有する飲食物を提供する。【解決手段】煮大豆を搾汁し豆乳を除いた生オカラに、グルタミン酸ナトリウムを５重量％添加し、さらにラクトバチルス・ブレビス（ＮＢＲＣ１２００５）を播種しタンク内にて嫌気条件下３０℃で４８時間発酵を行い、γ−アミノ酪酸を生成させた。その後、該オカラを９５℃で２分間殺菌した後、粉砕式乾燥機で乾燥、粉砕を行い、γ−アミノ酪酸含有乾燥オカラを製造した。【選択図】なし【特許請求の範囲】
【請求項１】
オカラに機能性成分を付加してなる飲食物。
【請求項２】
機能性成分がγ−アミノ酪酸である請求項１に記載の飲食物。
【請求項３】
γ−アミノ酪酸を１重量％以上含有する請求項２に記載の飲食物。
【請求項４】
リラクゼーション効果を有する請求項１から３に記載の飲食物。
【発明の詳細な説明】
【技術分野】
【０００１】
本発明は、リラクゼーション効果を有する飲食物に関する。
【背景技術】
【０００２】
近年の日本において、社会が豊かになるに伴い以前は有効に利用されていた様々な製品の副産物が産業廃棄物化し問題となっている。そのためこれら産業廃棄物を見直し、再び有効利用しようとする試みが広く行われている。またその一方で、ストレスを抱える人も増加し社会問題となっており、リラクゼーション効果を目的とした製品の需要が高まっている。このような背景のもと、２つの問題を同時に解決する手段として、産業廃棄物にリラクゼーション効果を付加した製品が期待される。
【特許文献１】特許第３８６０５３３号
【特許文献２】特許第３６６３３６５号
【特許文献３】特開２００５−２４５２７０号公報
【特許文献４】特開２００２−４５１３８号公報
【特許文献５】特開２００４−３５７６１１号公報
【発明の開示】
【発明が解決しようとする課題】
【０００３】
豊富な食物繊維を含有し安価に供給が可能であるにもかかわらず、大豆オカラは通常産業廃棄物として廃棄されていた。また現代においてリラクゼーション効果を持つ機能性飲食物が望まれていた。
【課題を解決するための手段】
【０００４】
本発明はオカラに機能性成分を付加してなる飲食物に関するものであり、機能性成分がγ−アミノ酪酸であり、そしてγ−アミノ酪酸を１％以上含有し、かつリラクゼーション効果を有する飲食物に関する。
【発明の効果】
【０００５】
本発明によれば、産業廃棄物として処分されていたオカラを用いて、安価でかつリラクゼーション効果を有する飲食物を作製することが出来、現代人のストレスを軽減することが可能となる。
【発明を実施するための最良の形態】
【０００６】
以下、本発明の実施形態について説明する。なお、本発明は、下記実施形態の記載により限定して解釈するべきでなく、特許請求の範囲における記載の範囲内で種々の変更が可能である。
【０００７】
本発明を実施するための最良の形態としては、生オカラにグルタミン酸またはグルタミン酸の塩類を添加したものを培地とし、グルタミン酸デカルボキシラーゼを有する乳酸菌を播種し発酵させることによりγ−アミノ酪酸を生成させた後、該生オカラを殺菌、乾燥、粉砕しγ−アミノ酪酸含有乾燥オカラを製造、それを摂取することが望ましい。
【０００８】
使用されるオカラは、煮大豆を搾汁し豆乳を除いた生オカラであれば良く、原料となる大豆の産地、品種、また生オカラの製法などには限定されない。
【０００９】
生オカラにγ−アミノ酪酸を付加する手法としては、生オカラにグルタミン酸またはグルタミン酸の塩類を添加したものを培地とし、さらにグルタミン酸デカルボキシラーゼを有する乳酸菌を播種し発酵によりγ−アミノ酪酸を付加する手法が挙げられる。
【００１０】
グルタミン酸またはグルタミン酸の塩類は、培地に対して０．５〜５重量％で添加することが望ましい。
【００１１】
本発明に用いられる乳酸菌としては、酵素としてデカルボキシラーゼを有する乳酸菌であれば良く、特に限定されない。
【００１２】
発酵の条件としては、嫌気条件が望ましい。
【００１３】
乳酸菌播種後の培養温度としては、２５〜３７℃の範囲で設定するのが望ましく、もっとも好適な発酵条件としては３０〜３５℃の範囲で選ばれる。
【００１４】
発酵時間は特に限定されるものではないが、望ましくは２日以上の日数をかけることが望ましい。
【００１５】
殺菌方法としては特に制限されるものではないが、８０〜１００℃、特に好ましくは９０〜１００℃で２〜３分間殺菌することが望ましい。
【００１６】
乾燥、粉砕方法としては特に制限はなく、粉砕式乾燥機などを用いることで行われる。
【００１７】
γ−アミノ酪酸含有乾燥オカラの摂取方法としては特に制限されるものではなく、カプセル剤、錠剤、顆粒などの形態から選ぶことが可能である。
【実施例】
【００１８】
以下、本発明の実施例について説明する。なお、本発明は、下記の実施例に限定して解釈すべきではなく、特許請求の範囲における記載の範囲内で種々の変更が可能である。
【００１９】
煮大豆を搾汁し豆乳を除いた生オカラにグルタミン酸ナトリウムを５重量％添加し、さらにラクトバチルス・ブレビス（ＮＢＲＣ１２００５）を播種しタンク内にて嫌気条件下３０℃で４８時間発酵を行った。４８時間後、該オカラを９５℃で２分間殺菌した後、粉砕式乾燥機で乾燥、粉砕を行った。
【００２０】
（実施例１）
対照群に投与する処方としては空のカプセルを実施例１とする。
【００２１】
（実施例２）
γ−アミノ酪酸を３０ｍｇ含有するオカラ３ｇをカプセルにしたものを実施例２とする。
【００２２】
健常男子１２名（２１．７±０．８歳）にダブルブラインドクロスオーバー試験にて、処方１および２を摂取させ、摂取前、摂取３０分後、摂取６０分後に心電図を記録した。
【００２３】
心電図からパワースペクトル解析を行い、副交感神経活動を評価した結果を表１に示す。図中の数値表記は（平均±標準誤差）であり、＊はｐ＜０．０５であることを示す。
【表１】
2009005654.tif 000002
【００２４】
本発明の飲食物を摂取した場合、表１に結果を示すように対照群に対して副交感神経活動が有意に向上した。このことから、本発明のγ−アミノ酪酸を含有するオカラはリラクゼーション効果を有すると確認出来た。
【産業上の利用可能性】
【００２５】
本発明の飲食物は、γ−アミノ酪酸を含有するオカラであり、産業廃棄物の有効利用が出来るだけでなく、リラクゼーション効果にも優れた健康食品として利用することが出来る。
(57)【要約】      （修正有）【課題】犬が散歩中に排便する際、落下途中で糞を受けるための携帯用便器。【解決手段】二段に伸縮可能な柄１に、チリ紙４を敷いたプラスチックフィルム製又はプラスチック網製の糞受け具３を取り付けて構成され、これを用いることによって、犬の散歩中の排便を落下途中に採集し、チリ紙４に包んで便所へ捨てる等の処理を可能にしている。【選択図】図２
2009005670.tif 000002
【特許請求の範囲】
【請求項１】
散歩中の犬が排便する際に、糞を落下する途中で受けるための、伸縮可能な柄にプラスチックフィルム製又はプラスチック網製の糞受け具を取り付けた、犬の散歩の携帯用便器。
【発明の詳細な説明】
【技術分野】
【０００１】  従来、ペット特に犬との散歩の時に、飼い主が携帯できる便器として出願されている特開平５−２７６８４８の発明は、ペットが排便の際に肛門の下へ差し伸べ、落下途中に糞を採集するための柄杓様に固定させた、糞を収納のための容器と柄と、その容器を密閉することができる蓋を設けた、動物のための携帯用便器。
【発明の開示】
【発明が解決しようとする課題】
【０００２】  解決しようとする問題点は、ペット特に犬の散歩のときに糞を採集するため、柄に固定された蓋つき容器の動物用携帯便器は、市街地等を散歩するとき、柄が長くて便器の嵩も高いので体裁が悪く、飼い主が常時携行するには不向きである。
【課題を解決するための手段】
【０００３】  犬の散歩の携帯用便器は、縦横各々１５〜２０ｃｍ程度の四角又は、直径１５ｃｍ〜２０ｃｍ程度の環状体の鉄線２に、深さ５ｃｍ〜１０ｃｍ程度の糞受け具３を取り付け、１２０〜１５０度程度の角度をつけて二段に伸縮可能な柄１に結合する。糞受け具と柄は取り外しができるようにし、糞受け具の中にチリ紙４を敷いたことを特徴とする。
本発明で言う、伸縮可能な柄の素材としては、例えば、竹又はプラスチック、スチールなどがあげられる。四角又は、環状体の鉄線は、軽量で強度の高いものが好ましい。糞受け具はプラスチックフィルム製又は、網目が、１〜２ｃｍ程度のプラスチック製のものが好ましい。
【発明の効果】
【０００４】  本発明の携帯用便器は、体裁がよいので飼い主が何の抵抗感もなしに散歩に携行でき、糞を簡単確実に採集でき、糞受け具からチリ紙に包んだ糞を取り出して、便所に捨てる等の処理をし、街の環境保全に役立つことから、何の気兼ねもなく犬の散歩を楽しめる効果がある。
【発明を実施するための最良の形態】
【０００５】  以下本発明の実施の形態の一例を図を用いて説明する。
【実施例】
【０００６】  図１と図２に示す本発明１は、二段に伸縮可能な柄に、落下途中の糞を受けるための糞受け具とチリ紙を敷いたもので構成されている。
図３は実際に携帯用便器を使用している状態の一例で、犬の排便時に飼い主が糞を受けるべく、二段伸縮の柄を伸ばして、柄の先端に取り付けられた、糞受け具を犬のの肛門の下に差し伸べた図である。
【図面の簡単な説明】
【０００７】
【図１】  平面図
【図２】  側面図
【図３】  実施例図
【符号の説明】
１．二段に伸縮する柄
２．環状体の鉄線
３．糞受け具
４．チリ紙
５．網と柄の継ぎ手
６．柄の伸縮調整具
【図１】
2009005670.tif 000003
【図２】
2009005670.tif 000004
【図３】
2009005670.tif 000005
(57)【要約】      （修正有）【課題】番組終了までオフタイマー時間を延長できるようにする。【解決手段】テレビジョンの電源を入れると標準として設定したオフタイマーの設定があれば自動的にオフタイマーが動作する。見ている番組の途中でオフタイマー設定時間になったとき、Ｇコード等の感知により番組終了迄にオフタイマーの設定時間を延長出来る。【選択図】図２
2009005321.tif 000002
【特許請求の範囲】
【請求項１】
テレビジョンの電源入れると設定したオフタイマーが自動的に動作する、オフタイマーを標準とするテレビジョン。
【請求項２】
オフタイマーの設定時間が来たとき、番組が途中の場合オフタイマーの設定時間を番組
終了まで延長出来るオフタイマーシステム。
【請求項３】
オフタイマーの設定時間が時刻によりに変更出来るオフタイマーシステム。
【発明の詳細な説明】
【技術分野】
【０００１】  本発明は、テレビジョンのオフタイマーシステムに関するものである。。
【背景技術】
【０００２】  テレビジョンにはオフタイマー装備されており、またＧコード等で番組の開始及び終了を感知出来るシステムがある。
【発明の開示】
【発明が解決しようとする課題】
【０００３】  オフタイマーはテレビジョンメーカーに依っては、複雑な物もあり設定しづらい。【０００４】  オフタイマーの設定時間が来てテレビジョンの電源が切れた時、番組が途中であったりまだ寝付けない場合再び電源を入れオフタイマーを設定しなければならない面倒くささがあった。
【課題を解決するための手段】
【０００５】  この改善策として、本発明はテレビジョンの電源を入れると標準として設定したオフタイマーが動作する。また、Ｇコード等の感知により番組終了迄にオフタイマーの時間を延長出来る。
【発明の効果】
【０００６】  本発明は、標準がオフタイマーなのでテレビジョンの電源を入れるだけでオフタイマーが作動するので高齢者でもテレビジョン消し忘れがないので省エネになる。【０００７】  本発明は、高齢者や、病人のいる病院のカードタイマーシステムに特に有効である。
【発明を実施するための最良の形態】
【０００８】  以下、図面を用いて、本発明の実施の形態について説明する。
【実施例１】
【０００９】  図１は、本発明の基本設定システムの標準例である。
メーカーは各々の設定方法、画面で設定する。【００１０】  オンタイマーの設定が必要な時は、オンタイマーの設定を行う。【００１１】  オフタイマーの設定は、標準設定に有る様に最初から基本の時間が入力してあり、変更が可能である。【００１２】  オフタイマー設定１〜４は、何も入力しなくても良く、入力すれば４．３．２．１の順で標準設定に優先する。【００１３】  図２は本発明実施例１のテレビジョンの電源を入れてからのフローチャートである。【００１４】  テレビジョンの電源が入ると図１のオフタイマー設定画面の標準設定の数字を消し１〜４に何も入力されていなければオフタイマーなしの設定になり、手動で電源を消します。【００１５】  オフタイマーの設定があれば自動的にオフタイマーが作動する。【００１６】  オフタイマーの設定時間が来た時、番組が丁度終了すれば良いが番組の途中でであれば図１の番組途中のオフタイマーの設定番号に従いテレビジョンの電源を自動で切り終了する。
【図面の簡単な説明】
【００１６】
【図１】は、本発明の基本設定システムの標準例である。
【図２】は本発明実施例１のテレビジョンの電源を入れてからのフローチャートである。
【符号の説明】
→  は流れの進行方向を示す
Ｙは枠に囲まれた事項が起こった時
Ｎは枠に囲まれた事項が起こらなかった時
【図１】
2009005321.tif 000003
【図２】
2009005321.tif 000004